(57)【要約】【課題】  逆オークションの実行中に、逆オークション情報を解析し、得られた情報をバイヤーへ提供できる逆オークションシステムを提供する。【解決手段】  センター装置２２の制御部２２ａは、ネットワーク１０を介して、サプライヤ４０から送信されたビット履歴について、逆オークションが終了する前に、所定の解析及び推定を行い、購入者装置３２へ送信する。これにより、Ｒ／Ａｕ仲介ベンダー２０及びバイヤー３０は、逆オークションが終了する前に、その逆オークションに関する情報を得ることが可能となる。【選択図】 図５
2005190322.tif 000002
【特許請求の範囲】
【請求項１】
販売者側端末と、購入者側端末と、に接続し、前記販売者側端末から入札行為を受信し、前記入札行為を解析した情報をオークションの実行中に前記購入者側端末に送信する逆オークションシステム用仲介ベンダーサーバ装置において、
前記入札行為を記録する記録手段と、
前記記録手段が記録する入札行為に基づき、オークションの実行中に原価ラインを解析・推定する解析・推定手段と、
前記解析・推定手段が解析・推定した前記原価ラインを、前記解析した情報として前記購入者側端末にオークションの実行中に送信する送信手段と、
を含むことを特徴とする逆オークションシステム用仲介ベンダーサーバ装置。
【請求項２】
請求項１記載の逆オークションシステム用仲介ベンダーサーバ装置において、
前記解析・推定手段は、所定期間の入札価格の時間に対する変化率が所定の値より小さい場合に、その所定期間中の入札価格を前記原価ラインと推定することを特徴とする逆オークションシステム用仲介ベンダーサーバ装置。
【請求項３】
請求項２記載の逆オークションシステム用仲介ベンダーサーバ装置において、
前記解析・推定手段は、所定期間の入札価格の時間に対する変化率が所定の値より小さい場合であって、かつ、前記所定期間中の入札密度が所定の値より大きい場合に、前記所定期間中の入札価格を前記原価ラインと推定することを特徴とする逆オークションシステム用仲介ベンダーサーバ装置。
【請求項４】
販売者側端末と、購入者側端末と、に接続し、前記販売者側端末から入札行為を受信し、前記入札行為に関する入札情報を前記購入者側端末に送信する逆オークションシステム用仲介ベンダーサーバ装置において、予め定められたオークションの設定入札期間満了後に、１又は２以上の所定の延長入札期間を設定する際に、
各入札期間における前記入札行為を記録する記録手段と、
前記記録手段が記録する入札行為に基づき、前記各入札期間が満了する毎に、その入札期間における販売者の受注意欲を表す指数を解析・推定する解析・推定手段と、
前記各入札期間が満了する毎に、前記解析・推定手段が解析・推定した前記指数を、前記購入者側端末に送信する送信手段と、
を含むことを特徴とする逆オークションシステム用仲介ベンダーサーバ装置。
【請求項５】
請求項４記載の逆オークションシステム用仲介ベンダーサーバ装置において、
前記解析・推定手段は、
入札行為を時間軸と価格軸とで表現するグラフにおいて、開始設定時刻における開始設定価格と、終了設定時刻における最終推定落札価格とを結んだ直線である４５度ラインを前記各入札期間毎に作成し、
前記入札行為に基づき、前記開始設定時刻から前記終了設定時刻まで、入札価格を表す近似曲線を前記入札期間毎に作成し、
前記４５度ラインと前記近似曲線とによって挟まれた領域であって、前記４５度ラインより高価格側に存在する「上に凸」領域の面積を算出し、
前記４５度ラインと前記近似曲線とによって挟まれた領域であって、前記４５度ラインより低価格側に存在する「下に凸」領域の面積を算出し、
前記「上に凸」領域の面積と前記「下に凸」領域の面積との比率を、前記販売者の受注意欲を表す指数として算出することを特徴とする逆オークションシステム用仲介ベンダーサーバ装置。
【請求項６】
逆オークションにおける入札行為をオークションの実行中に解析する入札情報解析装置において、
販売者の入札行為を記録する記録手段と、
前記記録手段が記録する入札行為に基づき、オークションの実行中に原価ラインを解析・推定する解析・推定手段と、
を含み、
前記解析・推定手段は、実行中のオークションの所定期間の入札価格の時間に対する変化率が所定の値より小さい場合に、その所定期間中の入札価格を前記原価ラインと推定することを特徴とする入札情報解析装置。
【請求項７】
請求項６記載の入札情報解析装置において、
前記解析・推定手段は、所定の期間の入札価格の時間に対する変化率が所定の値より小さい場合であって、かつ、前記所定期間中の入札密度が所定の値より大きい場合に、その所定期間中の入札価格を前記原価ラインと推定することを特徴とする入札情報解析装置。
【請求項８】
予め定められたオークションの設定入札期間満了後に、１又は２以上の所定の延長入札期間を設定する際に、各入札期間における逆オークションの入札行為を解析する入札情報解析装置において、
各入札期間における販売者の入札行為を記録する記録手段と、
前記記録手段が記録する入札行為に基づき、前記各入札期間が満了する毎に、その入札期間における販売者の受注意欲を表す指数を解析・推定する解析・推定手段と、
を含み、
前記解析・推定手段は、
入札行為を時間軸と価格軸とで表現するグラフにおいて、開始設定時刻における開始設定価格と、終了設定時刻における最終推定落札価格とを結んだ直線である４５度ラインを前記各入札期間毎に作成し、
前記入札行為に基づき、前記開始設定時刻から前記終了設定時刻まで、入札価格を表す近似曲線を前記各入札期間毎に作成し、
前記４５度ラインと前記近似曲線によって挟まれた領域であって、前記４５度ラインより高価格側に存在する「上に凸」領域の面積を算出し、
前記４５度ラインと前記近似曲線とによって挟まれた領域であって、前記４５度ラインより低価格側に存在する「下に凸」領域の面積を算出し、
前記「上に凸」領域の面積と前記「下に凸」領域の面積との比率を、前記販売者の受注意欲を表す指数として算出することを特徴とする入札情報解析装置。
【請求項９】
逆オークションにおける入札行為を解析し、入札情報を得る入札情報解析方法において、
販売者の入札行為を記録する記録ステップと、
前記記録ステップにおいて記録する入札行為に基づき、オークションの実行中に原価ラインを解析・推定する解析・推定ステップと、
を含み、
前記解析・推定ステップにおいては、所定期間の入札価格の時間に対する変化率が所定の値より小さい場合に、その所定期間中の入札価格を前記原価ラインと推定することを特徴とする入札情報解析方法。
【請求項１０】
請求項９記載の入札情報解析方法において、
前記解析・推定ステップにおいては、所定の期間の入札価格の時間に対する変化率が所定の値より小さい場合であって、かつ、前記所定期間中の入札密度が所定の値より大きい場合に、その所定期間中の入札価格を原価ラインと推定することを特徴とする入札情報解析方法。
【請求項１１】
予め定められたオークションの設定入札期間満了後に、１又は２以上の所定の延長入札期間を設定する際に、各入札期間における逆オークションの入札行為を解析する入札情報解析方法において、
各入札期間における販売者の入札行為を記録する記録ステップと、
前記記録ステップにおいて記録する入札行為に基づき、前記入札期間が満了する毎に、その入札期間における販売者の受注意欲を表す指数を解析・推定する解析・推定ステップと、
を含み、
前記解析・推定ステップにおいては、
入札行為を時間軸と価格軸とで表現するグラフにおいて、開始設定時刻における開始設定価格と、終了設定時刻における最終推定落札価格とを結んだ直線である４５度ラインを前記入札期間毎に作成するステップと、
前記入札行為に基づき、前記開始設定時刻から前記終了設定時刻まで、入札価格を表す近似曲線を前記入札期間毎に作成するステップと、
前記４５度ラインと前記近似曲線によって挟まれた領域であって、前記４５度ラインより高価格側に存在する「上に凸」領域の面積を算出するステップと、
前記４５度ラインと前記近似曲線とによって挟まれた領域であって、前記４５度ラインより低価格側に存在する「下に凸」領域の面積を算出するステップと、
前記「上に凸」領域の面積と前記「下に凸」領域の面積との比率を、前記販売者の受注意欲を表す指数として算出するステップと、
を備えることを特徴とする入札情報解析方法。
【請求項１２】
販売者側端末と、購入者側端末と、に接続し、前記販売者側端末から入札行為を受信し、前記入札行為を解析した情報をオークションの実行中に前記購入者側端末に送信する逆オークションシステム用仲介ベンダーサーバ装置として、コンピュータを動作させるプログラムにおいて、前記コンピュータに、
前記入札行為を記録する記録手順と、
前記記録手順において記録する入札行為に基づき、オークションの実行中に原価ラインを解析・推定する解析・推定手順と、
前記解析・推定手順において解析・推定された前記原価ラインを、前記購入者側端末にオークションの実行中に送信する送信手順と、
を実行させることを特徴とするプログラム。
【請求項１３】
請求項１２記載のプログラムにおいて、
前記解析・推定手順においては、前記コンピュータに、所定期間の入札価格の時間に対する変化率が所定の値より小さい場合に、その所定期間中の入札価格を前記原価ラインと推定させることを特徴とするプログラム。
【請求項１４】
請求項１３記載のプログラムにおいて、
前記解析・推定手順においては、前記コンピュータに、所定期間入札価格の時間に対する変化率が所定の値より小さい場合であって、かつ、前記所定期間中の入札密度が所定の値より大きい場合に、前記所定期間中の入札価格を前記原価ラインと推定させることを特徴とするプログラム。
【請求項１５】
販売者側端末と、購入者側端末と、に接続し、前記販売者側端末から入札行為を受信し、前記入札行為を解析した情報を前記購入者側端末に送信する逆オークションシステム用仲介ベンダーサーバ装置として、コンピュータを動作させるプログラムにおいて、予め定められたオークションの設定入札期間満了後に、１又は２以上の所定の延長入札期間を設定する際に、前記コンピュータに、
各入札期間における販売者の入札行為を記録手段に記録する記録手順と、
前記記録手順において記録する入札行為に基づき、前記各入札期間が満了する毎に、その入札期間における販売者の受注意欲を表す指数を解析・推定する解析・推定手順と、
を実行させることを特徴とするプログラム。
【請求項１６】
請求項１５に記載のプログラムにおいて、
前記解析・推定手順においては、
入札行為を時間軸と価格軸とで表現するグラフにおいて、開始設定時刻における開始設定価格と、終了設定時刻における最終推定落札価格とを結んだ直線である４５度ラインを前記各入札期間毎に作成する手順と、
前記入札行為に基づき、前記開始設定時刻から前記終了設定時刻まで、入札価格を表す近似曲線を前記各入札期間毎に作成する手順と、
前記４５度ラインと前記近似曲線とによって挟まれた領域であって、前記４５度ラインより高価格側に存在する「上に凸」領域の面積を算出する手順と、
前記４５度ラインと前記近似曲線とによって挟まれた領域であって、前記４５度ラインより低価格側に存在する「下に凸」領域の面積を算出する手順と、
前記「上に凸」領域の面積と前記「下に凸」領域の面積との比率を、前記販売者の受注意欲を表す指数として算出する手順と、
を、前記コンピュータに実行させることを特徴とするプログラム。  
【請求項１７】
コンピュータを、逆オークションにおける入札行為を解析する入札情報解析装置として動作させるプログラムにおいて、前記コンピュータに、
販売者の入札行為を記録手段に記録する記録手順と、
前記記録手段が記録する入札行為に基づき、オークションの実行中に原価ラインを解析・推定する解析・推定手順と、
を実行させ、
前記解析・推定手順においては、前記コンピュータに、所定期間の入札価格の時間に対する変化率が所定の値より小さい場合に、その所定期間中の入札価格を前記原価ラインと推定させることを特徴とするプログラム。
【請求項１８】
請求項１７記載のプログラムにおいて、
前記解析・推定手順においては、前記コンピュータに、所定の期間の入札価格の時間に対する変化率が所定の値より小さい場合であって、かつ、前記所定期間中の入札密度が所定の値より大きい場合に、その所定期間中の入札価格を前記原価ラインと推定させることを特徴とするプログラム。
【請求項１９】
コンピュータを、逆オークションにおける入札行為を解析する入札情報解析装置として動作させるプログラムにおいて、予め定められたオークションの設定入札期間満了後に、１又は２以上の所定の延長入札時間を設定する際に、前記コンピュータに、
各入札期間における販売者の入札行為を記録手段に記録する記録手順と、
前記記録手順において記録する入札行為に基づき、前記各入札期間が満了する毎に、その入札期間における販売者の受注意欲を表す指数を解析・推定する解析・推定手順と、
を実行させ、
前記解析・推定手順においては、
入札行為を時間軸と価格軸とで表現するグラフにおいて、開始設定時刻における開始設定価格と、終了設定時刻における最終推定落札価格とを結んだ直線である４５度ラインを前記延長期間毎に作成する手順と、
前記入札行為に基づき、前記開始設定時刻から前記終了設定時刻まで、入札価格を表す近似曲線を前記入札期間毎に作成する手順と、
前記４５度ラインと前記近似曲線とによって挟まれた領域であって、前記４５度ラインより高価格側に存在する「上に凸」領域の面積を算出する手順と、
前記４５度ラインと前記近似曲線とによって挟まれた領域であって、前記４５度ラインより低価格側に存在する「下に凸」領域の面積を算出する手順と、
前記「上に凸」領域の面積と前記「下に凸」領域の面積との比率を、前記販売者の受注意欲を表す指数として算出する手順と、
を、前記コンピュータに実行させることを特徴とするプログラム。
【請求項２０】
前記請求項１〜３のいずれかに記載の逆オークションシステム用仲介ベンダーサーバ装置において、
前記原価ラインは、コストベンチマーク又はコストベンチマーキングであることを特徴とする逆オークションシステム用仲介ベンダーサーバ装置。
【請求項２１】
前記請求項６〜７のいずれかに記載の入札情報解析装置において、
前記原価ラインは、コストベンチマーク又はコストベンチマーキングであることを特徴とする入札情報解析装置。
【請求項２２】
前記請求項９〜１０のいずれかに記載の入札情報解析方法において、
前記原価ラインは、コストベンチマーク又はコストベンチマーキングであることを特徴とする入札情報解析方法。
【請求項２３】
前記請求項１２〜１４のいずれかに記載のプログラムにおいて、
前記原価ラインは、コストベンチマーク又はコストベンチマーキングであることを特徴とするプログラム。
【請求項２４】
前記請求項１７〜１８のいずれかに記載のプログラムにおいて、
前記原価ラインは、コストベンチマーク又はコストベンチマーキングであることを特徴とするプログラム。
【発明の詳細な説明】
【技術分野】
【０００１】
本発明は、逆オークションシステム用仲介ベンダーサーバ装置及びそのプログラムに関する。また、逆オークションの入札履歴を解析する装置、その解析方法、及びそのプログラムに関する。
【背景技術】
【０００２】
従来から、ネットワークを介して、商品や発注業務の売買を実現するオークションや逆オークション（以下、「Ｒ／Ａｕ」と記載することもある）が利用されている。一般的に、オークションでは、サプライヤが出品した商品に対して、バイヤーが入札を繰り返し、最終的に最高価格を提示したバイヤーに上記商品が落札される。
【０００３】
このオークションにおいては、オークションの参加者がより多くの利益を得るため、種々の工夫がなされている。例えば、下記特許文献１及び２では、パソコン端末等を用いることにより、遠隔地からでも、所望のオークションに参加できるシステムが開示されている。さらに下記特許文献２においては、オークション時に、各フロントコンピュータ間で処理するデータ等の量を低減させることにより、当該データ処理に要する時間を大幅に短くすることができる方法が開示されている。
【０００４】
また、下記特許文献３には、出品者（以下、サプライヤと記載する場合もある）又は入札者（以下、バイヤーと記載する場合もある）に、落札価格を含む終了オークション情報を提供することにより、出品者が適切な入札開始価格を設定することができる方法が開示されている。
【０００５】
一方、逆オークションは、バイヤーにとって通常の相対取引では容易に得がたい大幅な購入価格の低減を実現可能とする手段である一方、サプライヤにとっては新規参入の機会を公平に得られる手段として、産業界に急速に浸透しつつある購買価格低減ツールである。
【０００６】
一般的に、逆オークションでは、バイヤーが決定した入札開始価格、及び設定入札期間等の逆オークションの設定条件に基づいて、一定時間内にサプライヤが入札を繰り返すことにより、入札価格が引き下げられ、最終的に最低価格を提示した上記商品が落札される。資材を安く調達したい企業が、「Ｒ／Ａｕ」を実施すれば、参加者（サプライヤ）の競争を促し、大きなコスト削減を期待できるとされる。
【０００７】
【特許文献１】特許第２９３２３８９号公報
【特許文献２】特公平７−４３７４８号公報
【特許文献３】特開２００２−３５２１１５号公報
【発明の開示】
【発明が解決しようとする課題】
【０００８】
しかしながら、上記特許文献１及び２に記載の方法では、オークションの参加者が、過去のオークションに関する情報を取得することが困難である。このため、サプライヤは、オークションの入札開始価格を設定する際に適当な判断材料がなく、適切な入札開始価格を設定することが困難となる場合がある。また、上記特許文献３に記載の方法では、オークションの参加者は、提供された終了オークション情報について、主に落札価格のみを参考にする。このため、例えば、サプライヤが、入札希望商品に対するバイヤー購入意欲の程度を推定することは困難であると考えられる。しかしながら、上記落札価格は、オークションにおけるバイヤーの購入意欲の程度によって大きな影響を受けて、決定される可能性が高い。
【０００９】
さらに、上記逆オークションにおいても、一般的に、逆オークションの参加者は、過去の逆オークション情報を取得することが困難である。このため、バイヤーは適当な判断材料がないため、入札開始価格、及び設定入札期間等の逆オークションにおける設定条件を適切に設定することが困難となる場合が多い。このため、入札開始価格及び設定入札期間等の逆オークションにおける設定条件は、バイヤーのノウハウにより決定されていた。
【００１０】
このため、上記逆オークションにおいて、バイヤーの設定条件の妥当性を知る際に有効となる判断材料をバイヤーに提供できる逆オークションシステムを提供することが望まれていた。
【００１１】
本発明者等は、上記課題に鑑み、逆オークション終了後、終了した逆オークションの情報を解析し、バイヤー等へ提供するシステムを独自に開発し、このシステムについて先に別途特許出願（特願２００３−３０４３８２号（以下、この出願を「先の出願」と記載する））を行っている。しかしながら、この「先の出願」に係るシステムは、終了した逆オークションの情報を解析するものであり、逆オークションの実行中に、そのオークションに関する情報を得ることはできなかった。しかし、逆オークションの実行中においても、当該逆オークションの情報を得ることができる方が、バイヤーにとって便利であることはいうまでもない。
【００１２】
そこで、本発明は、逆オークションの実行中に、逆オークション情報を解析し、得られた情報をバイヤーへ提供できる逆オークションシステムを提供することを目的とする。
【課題を解決するための手段】
【００１３】
そこで上記課題を解決するために、本発明者等は、逆オークションの実行中に、この逆オークションにおける入札履歴について、仲介ベンダーが解析・推定を行い、得られた解析・推定の結果を逆オークションに参加するバイヤーに提供する逆オークションシステムを提案する。
【００１４】
バイヤーは、この推定・解析の結果を参照することにより、サプライヤの原価ライン及びサプライヤの受注意欲の程度を知ることができる。これにより、バイヤーは逆オークションの設定条件の妥当性を判断することが容易になる。
【００１５】
なお、本発明において、原価ラインとは、原価を表す線（ライン）を言うが、原価ラインを推定することは、原価を推定することに他ならない。原価の推定に関しては、この「推定」を、コストベンチマーク又はコストベンチマーキングと呼ぶことも多い。したがって、本発明においては、原価ライン、コストベンチマーク、コストベンチマーキングとは、原価と同義である。また、入札期間とは、設定入札期間、及び延長入札期間と同義である。
【００１６】
コストベンチマークとコストベンチマーキングについて
なお、最近の購買業務におけるトレンドとして、「コストベンチマーク」や「コストベンチマーキング」という言葉が頻繁に使用されている。そして、本発明は、この「コストベンチマーク」や 「コストベンチマーキング」を得るのに有用である。すなわち、「コストベンチマーク」は、本発明で説明するリバースオークションを実施することによって、自動的に得ることができるものである。つまり、コストベンチマークは原価ラインなのである。バイヤーは、この原価ラインをコストベンチマークとして把握して、原価低減活動や戦略購買の推進に資することができる。また、物品を安価に調達するには、相見積りを取得する必要がある。その理由は、バイヤーは価格を比較した上で、最も安価な価格を提示してきたところから購入したいからである。ところが、より安価に買いたいから、この見積り価格を値引きの根拠にさらに交渉する余地が生まれると考えられる。このことは、リバースオークションとほぼ同様の機能があることを示唆している。したがって、原価ラインは値引き交渉の根拠となり得るのである。その結果、原価ラインは、コストベンチマークとして取り扱うことが可能である。
【００１７】
本発明の第１グループは、逆オークションシステム用仲介ベンダーサーバ装置に関するものである。本発明の第１グループの１つの発明は、販売者側端末と、購入者側端末と、に接続し、前記販売者側端末から入札行為を受信し、前記入札行為を解析した情報をオークションの実行中に前記購入者側端末に送信する逆オークションシステム用仲介ベンダーサーバ装置において、前記入札行為を記録する記録手段と、前記記録手段が記録する入札行為に基づき、オークションの実行中に原価ラインを解析・推定する解析・推定手段と、前記解析・推定手段が解析・推定した前記原価ラインを、前記解析した情報として前記購入者側端末にオークションの実行中に送信する送信手段と、を含むことを特徴とする逆オークションシステム用仲介ベンダーサーバ装置である。
【００１８】
本発明の第１グループの他の発明は、上記逆オークションシステム用仲介ベンダーサーバ装置において、前記解析・推定手段は、所定期間の入札価格の時間に対する変化率が所定の値より小さい場合に、その所定期間中の入札価格を前記原価ラインと推定することを特徴とする逆オークションシステム用仲介ベンダーサーバ装置である。
【００１９】
本発明の第１グループのさらに他の発明は、上記逆オークションシステム用仲介ベンダーサーバ装置において、前記解析・推定手段は、所定期間の入札価格の時間に対する変化率が所定の値より小さい場合であって、かつ、前記所定期間中の入札密度が所定の値より大きい場合に、前記所定期間中の入札価格を前記原価ラインと推定することを特徴とする逆オークションシステム用仲介ベンダーサーバ装置である。
【００２０】
本発明の第１グループのさらに他の発明は、販売者側端末と、購入者側端末と、に接続し、前記販売者側端末から入札行為を受信し、前記入札行為に関する入札情報を前記購入者側端末に送信する逆オークションシステム用仲介ベンダーサーバ装置において、予め定められたオークションの設定入札期間満了後に、１又は２以上の所定の延長入札期間を設定する際に、各入札期間における前記入札行為を記録する記録手段と、前記記録手段が記録する入札行為に基づき、前記各入札期間が満了する毎に、その入札期間における販売者の受注意欲を表す指数を解析・推定する解析・推定手段と、前記各入札期間が満了する毎に、前記解析・推定手段が解析・推定した前記指数を、前記購入者側端末に送信する送信手段と、を含むことを特徴とする逆オークションシステム用仲介ベンダーサーバ装置である。
【００２１】
本発明の第１グループのさらに他の発明は、上記逆オークションシステム用仲介ベンダーサーバ装置において、前記解析・推定手段は、入札行為を時間軸と価格軸とで表現するグラフにおいて、開始設定時刻における開始設定価格と、終了設定時刻における最終推定落札価格とを結んだ直線である４５度ラインを前記各入札期間毎に作成し、前記入札行為に基づき、前記開始設定時刻から前記終了設定時刻まで、入札価格を表す近似曲線を前記入札期間毎に作成し、前記４５度ラインと前記近似曲線とによって挟まれた領域であって、前記４５度ラインより高価格側に存在する「上に凸」領域の面積を算出し、前記４５度ラインと前記近似曲線とによって挟まれた領域であって、前記４５度ラインより低価格側に存在する「下に凸」領域の面積を算出し、前記「上に凸」領域の面積と前記「下に凸」領域の面積との比率を、前記販売者の受注意欲を表す指数として算出することを特徴とする逆オークションシステム用仲介ベンダーサーバ装置である。
【００２２】
本発明の第２グループは、逆オークションの入札情報解析装置に関するものである。本発明の第２グループの１つの発明は、逆オークションにおける入札行為をオークションの実行中に解析する入札情報解析装置において、販売者の入札行為を記録する記録手段と、前記記録手段が記録する入札行為に基づき、オークションの実行中に原価ラインを解析・推定する解析・推定手段と、を含み、前記解析・推定手段は、実行中のオークションの所定期間の入札価格の時間に対する変化率が所定の値より小さい場合に、その所定期間中の入札価格を前記原価ラインと推定することを特徴とする入札情報解析装置である。
【００２３】
本発明の第２グループの他の発明は、上記入札情報解析装置において、前記解析・推定手段は、所定の期間の入札価格の時間に対する変化率が所定の値より小さい場合であって、かつ、前記所定期間中の入札密度が所定の値より大きい場合に、その所定期間中の入札価格を前記原価ラインと推定することを特徴とする入札情報解析装置である。
【００２４】
本発明の第２グループのさらに他の発明は、予め定められたオークションの設定入札期間満了後に、１又は２以上の所定の延長入札期間を設定する際に、各入札期間における逆オークションの入札行為を解析する入札情報解析装置において、各入札期間における販売者の入札行為を記録する記録手段と、前記記録手段が記録する入札行為に基づき、前記各入札期間が満了する毎に、その入札期間における販売者の受注意欲を表す指数を解析・推定する解析・推定手段と、を含み、前記解析・推定手段は、入札行為を時間軸と価格軸とで表現するグラフにおいて、開始設定時刻における開始設定価格と、終了設定時刻における最終推定落札価格とを結んだ直線である４５度ラインを前記各入札期間毎に作成し、前記入札行為に基づき、前記開始設定時刻から前記終了設定時刻まで、入札価格を表す近似曲線を前記各入札期間毎に作成し、前記４５度ラインと前記近似曲線によって挟まれた領域であって、前記４５度ラインより高価格側に存在する「上に凸」領域の面積を算出し、  前記４５度ラインと前記近似曲線とによって挟まれた領域であって、前記４５度ラインより低価格側に存在する「下に凸」領域の面積を算出し、前記「上に凸」領域の面積と前記「下に凸」領域の面積との比率を、前記販売者の受注意欲を表す指数として算出することを特徴とする入札情報解析装置である。
【００２５】
本発明の第３グループは、逆オークションの入札情報解析方法に関するものである。本発明の第３グループの１つの発明は、逆オークションにおける入札行為を解析し、入札情報を得る入札情報解析方法において、販売者の入札行為を記録する記録ステップと、前記記録手段が記録する入札行為に基づき、オークションの実行中に原価ラインを解析・推定する解析・推定ステップと、を含み、前記解析・推定ステップにおいては、所定期間の入札価格の時間に対する変化率が所定の値より小さい場合に、その所定期間中の入札価格を前記原価ラインと推定することを特徴とする入札情報解析方法である。
【００２６】
本発明の第３グループの他の発明は、上記入札情報解析方法において、前記解析・推定ステップにおいては、所定の期間の入札価格の時間に対する変化率が所定の値より小さい場合であって、かつ、前記所定期間中の入札密度が所定の値より大きい場合に、その所定期間中の入札価格を原価ラインと推定することを特徴とする入札情報解析方法である。
【００２７】
本発明の第３グループのさらに他の発明は、予め定められたオークションの設定入札期間満了後に、１又は２以上の所定の延長入札期間を設定する際に、各入札期間における逆オークションの入札行為を解析する入札情報解析方法において、各入札期間における販売者の入札行為を記録する記録ステップと、前記記録ステップにおいて記録する入札行為に基づき、前記入札期間が満了する毎に、その入札期間における販売者の受注意欲を表す指数を解析・推定する解析・推定ステップと、を含み、前記解析・推定ステップにおいては、入札行為を時間軸と価格軸とで表現するグラフにおいて、開始設定時刻における開始設定価格と、終了設定時刻における最終推定落札価格とを結んだ直線である４５度ラインを前記入札期間毎に作成するステップと、前記入札行為に基づき、前記開始設定時刻から前記終了設定時刻まで、入札価格を表す近似曲線を前記入札期間毎に作成するステップと、  前記４５度ラインと前記近似曲線によって挟まれた領域であって、前記４５度ラインより高価格側に存在する「上に凸」領域の面積を算出するステップと、前記４５度ラインと前記近似曲線とによって挟まれた領域であって、前記４５度ラインより低価格側に存在する「下に凸」領域の面積を算出するステップと、前記「上に凸」領域の面積と前記「下に凸」領域の面積との比率を、前記販売者の受注意欲を表す指数として算出するステップと、を備えることを特徴とする入札情報解析方法である。
【００２８】
本発明の第４グループは、逆オークションシステム用仲介ベンダーサーバ装置として、コンピュータを動作させるプログラムに関するものである。本発明の第４グループの１つの発明は、販売者側端末と、購入者側端末と、に接続し、前記販売者側端末から入札行為を受信し、前記入札行為を解析した情報をオークションの実行中に前記購入者側端末に送信する逆オークションシステム用仲介ベンダーサーバ装置として、コンピュータを動作させるプログラムにおいて、前記コンピュータに、前記入札行為を記録する記録手順と、前記記録手順において記録する入札行為に基づき、オークションの実行中に原価ラインを解析・推定する解析・推定手順と、前記解析・推定手順において解析・推定された前記原価ラインを、前記購入者側端末にオークションの実行中に送信する送信手順と、を実行させることを特徴とするプログラムである。
【００２９】
本発明の第４グループの他の発明は、上記プログラムにおいて、前記解析・推定手順においては、前記コンピュータに、所定期間の入札価格の時間に対する変化率が所定の値より小さい場合に、その所定期間中の入札価格を前記原価ラインと推定させることを特徴とするプログラムである。
【００３０】
本発明の第４グループのさらに他の発明は、上記プログラムにおいて、前記解析・推定手順においては、前記コンピュータに、所定期間入札価格の時間に対する変化率が所定の値より小さい場合であって、かつ、前記所定期間中の入札密度が所定の値より大きい場合に、前記所定期間中の入札価格を前記原価ラインと推定させることを特徴とするプログラムである。
【００３１】
本発明の第４グループのさらに他の発明は、販売者側端末と、購入者側端末と、に接続し、前記販売者側端末から入札行為を受信し、前記入札行為を解析した情報を前記購入者側端末に送信する逆オークションシステム用仲介ベンダーサーバ装置として、コンピュータを動作させるプログラムにおいて、予め定められたオークションの設定入札期間満了後に、１又は２以上の所定の延長入札期間を設定する際に、前記コンピュータに、各入札期間における販売者の入札行為を記録手段に記録する記録手順と、前記記録手順において記録する入札行為に基づき、前記各入札期間が満了する毎に、その入札期間における販売者の受注意欲を表す指数を解析・推定する解析・推定手順と、を実行させることを特徴とするプログラムである。
【００３２】
本発明の第４グループのさらに他の発明は、上記プログラムにおいて、前記解析・推定手順においては、入札行為を時間軸と価格軸とで表現するグラフにおいて、開始設定時刻における開始設定価格と、終了設定時刻における最終推定落札価格とを結んだ直線である４５度ラインを前記各入札期間毎に作成する手順と、前記入札行為に基づき、前記開始設定時刻から前記終了設定時刻まで、入札価格を表す近似曲線を前記各入札期間毎に作成する手順と、前記４５度ラインと前記近似曲線とによって挟まれた領域であって、前記４５度ラインより高価格側に存在する「上に凸」領域の面積を算出する手順と、前記４５度ラインと前記近似曲線とによって挟まれた領域であって、前記４５度ラインより低価格側に存在する「下に凸」領域の面積を算出する手順と、前記「上に凸」領域の面積と前記「下に凸」領域の面積との比率を、前記販売者の受注意欲を表す指数として算出する手順と、を、前記コンピュータに実行させることを特徴とするプログラムである。
【００３３】
本発明の第５グループは、逆オークションの入札情報解析装置として、コンピュータを動作させるプログラムに関するものである。本発明の第５グループの１つの発明は、コンピュータを、逆オークションにおける入札行為を解析する入札情報解析装置として動作させるプログラムにおいて、前記コンピュータに、販売者の入札行為を記録手段に記録する記録手順と、前記記録手段が記録する入札行為に基づき、オークションの実行中に原価ラインを解析・推定する解析・推定手順と、を実行させ、前記解析・推定手順においては、前記コンピュータに、所定期間の入札価格の時間に対する変化率が所定の値より小さい場合に、その所定期間中の入札価格を前記原価ラインと推定させることを特徴とするプログラムである。
【００３４】
本発明の第５グループの他の発明は、上記プログラムにおいて、前記解析・推定手順においては、前記コンピュータに、所定の期間の入札価格の時間に対する変化率が所定の値より小さい場合であって、かつ、前記所定期間中の入札密度が所定の値より大きい場合に、その所定期間中の入札価格を前記原価ラインと推定させることを特徴とするプログラムである。
【００３５】
本発明の第５グループのさらに他の発明は、コンピュータを、逆オークションにおける入札行為を解析する入札情報解析装置として動作させるプログラムにおいて、予め定められたオークションの設定入札期間満了後に、１又は２以上の所定の延長入札時間を設定する際に、前記コンピュータに、各入札期間における販売者の入札行為を記録手段に記録する記録手順と、前記記録手順において記録する入札行為に基づき、前記各入札期間が満了する毎に、その入札期間における販売者の受注意欲を表す指数を解析・推定する解析・推定手順と、を実行させ、前記解析・推定手順においては、入札行為を時間軸と価格軸とで表現するグラフにおいて、開始設定時刻における開始設定価格と、終了設定時刻における最終推定落札価格とを結んだ直線である４５度ラインを前記延長期間毎に作成する手順と、前記入札行為に基づき、前記開始設定時刻から前記終了設定時刻まで、入札価格を表す近似曲線を前記入札期間毎に作成する手順と、前記４５度ラインと前記近似曲線とによって挟まれた領域であって、前記４５度ラインより高価格側に存在する「上に凸」領域の面積を算出する手順と、前記４５度ラインと前記近似曲線とによって挟まれた領域であって、前記４５度ラインより低価格側に存在する「下に凸」領域の面積を算出する手順と、前記「上に凸」領域の面積と前記「下に凸」領域の面積との比率を、前記販売者の受注意欲を表す指数として算出する手順と、を、前記コンピュータに実行させることを特徴とするプログラムである。
【００３６】
このような構成によって、逆オークションシステム用仲介ベンダーサーバ装置は、逆オークション実行中に、入札者の原価ライン及び受注意欲を解析・推定することができる。また、この逆オークションシステム用仲介ベンダーサーバ装置は、逆オークション実行中に、これらの解析・推定された原価ライン及び受注意欲を購入者端末へ送信する。
【００３７】
コストベンチマーク・コストベンチマーキングに関する発明
上述したように、原価ラインは、コストベンチマーク又はコストベンチマーキングと呼ばれるものでもあるので、上述した各発明の手段中、「原価ライン」は、「コストベンチマーク」又は「コストベンチマーキング」と読み替えることも可能である。
【００３８】
すなわち、本発明は、上述した逆オークションシステム用仲介ベンダーサーバ装置において、原価ラインとの記載がある場合に、この原価ラインが、コストベンチマーク又はコストベンチマーキングであることを特徴とする逆オークションシステム用仲介ベンダーサーバ装置である。
【００３９】
また、本発明は、上述した入札情報解析装置において、原価ラインとの記述がある場合に、この原価ラインがコストベンチマーク又はコストベンチマーキングであることを特徴とする入札情報解析装置である。
【００４０】
また、本発明は、上述した入札情報解析方法において、原価ラインとの記述がある場合に、この原価ラインが、コストベンチマーク又はコストベンチマーキングであることを特徴とする入札情報解析方法である。
【００４１】
また、本発明は、上述したプログラムにおいて、原価ラインとの記述がある場合に、この原価ラインが、コストベンチマーク又はコストベンチマーキングであることを特徴とするプログラムである。
【００４２】
これらのように、原価ラインを、コストベンチマーク又はコストベンチマーキングと読み替えても、その作用・効果は同様である。
【発明の効果】
【００４３】
上記の通り、本発明の逆オークションシステム用仲介ベンダーサーバ装置を用いれば、逆オークション実行中に、販売者装置からの入札行為に基づいて、販売者の原価ライン及び受注意欲を推定し、この推定を購入者装置へ送信することできる。このため、ベンダー及び購入者は、逆オークション実行中に、その逆オークションにおける販売者の推定された原価ライン及び受注意欲を知ることができる。
【００４４】
また、本発明の逆オークションシステム用仲介ベンダーサーバ装置は、各入札期間毎に、その入札期間の残り時間を表すアナログ画像を購入者装置へ送信する。このため、購入者は、その入札期間の残り時間を視覚的に確認することが容易になる。
【発明を実施するための最良の形態】
【００４５】
『実施の形態１』
以下、図面に基づき、本実施の形態の逆オークションシステムについて説明する。
【００４６】
１．逆オークションシステムの概要
図１には、本実施の形態の逆オークションシステムにおける基本オペレーションの説明図が示されている。この図に示すように、本実施の形態の逆オークションシステムの基本オペレーションは、Ｒ／Ａｕ仲介ベンダー２０と、バイヤー３０と、参加企業であるサプライヤ４０と、によって実行される。
【００４７】
本実施の形態の逆オークションでは、Ｒ／Ａｕ仲介ベンダー２０は、バイヤー３０が予め提示した入札開始価格及び設定入札期間等の設定条件に基づいて、逆オークションを実行する。この逆オークションの際に、参加企業である各サプライヤ４０が、Ｒ／Ａｕ仲介ベンダー２０に対して、入札を繰り返すことにより、入札価格が引き下げられる。そして、最終的に最低価格を提示したサプライヤ４０が、対象商品を落札することとなる。
【００４８】
また、本実施の形態における逆オークションでは、設定入札時間が満了する際に、サプライヤ４０の入札行為が所定の延長条件を満たす場合には、Ｒ／Ａｕ仲介ベンダー２０は、逆オークションを延長する。この場合、Ｒ／Ａｕ仲介ベンダー２０は、設定入札期間に続いて延長入札期間を設定し、逆オークションを延長する。Ｒ／Ａｕ仲介ベンダー２０は、上記設定入札期間に続いて、上記延長入札期間を１回のみ設定してもよいし、複数回設定するのも好ましい。このように、逆オークション実行中に、逆オークションの設定入札期間に引き続いて、延長入札期間を設定することは、一般的に自動延長と呼ばれ、従来からよく知られている。
【００４９】
Ｒ／Ａｕ仲介ベンダー２０は、まず、設定入札期間において、図１に示す設定入札期間処理を行う。Ｒ／Ａｕ仲介ベンダー２０は、サプライヤ４０の入札行為の履歴（以下、入札履歴又はビット履歴と記載する）について、後述する疑似正規化を行う。以下、疑似正規化後の入札履歴を疑似正規化履歴と呼ぶ。なお、入札行為とは、サプライヤ４０の入札に関する情報であり、入札を行ったサプライヤ４０の企業名、その入札が行われた日時、及びその入札価格等、を含む情報である。
【００５０】
Ｒ／Ａｕ仲介ベンダー２０は、得られた疑似正規化履歴に基づき、ビット履歴カーブを作成し（２０ａ）、得られたビット履歴カーブの画像をバイヤー３０へ提供する。なお、疑似正規化及びビット履歴カーブについては、後に詳細に説明する。
【００５１】
また、Ｒ／Ａｕ仲介ベンダー２０は、上記疑似正規化履歴について、準平行部分の抽出による解析を行い、この解析の結果に基づいて、サプライヤ４０の原価ラインを推定する（２０ｂ）。この準平行部分の解析及び推定については、図１０〜図１５を用いて、後に詳細に説明する。
【００５２】
原価ラインと、コストベンチマーク及びコストベンチマーキングについて
本発明の手段の欄において既に述べたように、原価ラインは、コストベンチマーク又はコストベンチマーキングと呼ばれるものと同義である。したがって、原価ラインの推定は、コストベンチマーク又はコストベンチマーキングの推定でもある。以下の説明では、原価ラインの言葉を用いて説明を行うが、これらは全てコストベンチマーク又はコストベンチマーキングと読み替えることが可能である。
【００５３】
以下、このように、Ｒ／Ａｕ仲介ベンダー２０が、設定入札期間において、疑似正規化履歴について行う解析及び推定を途中解析Ａと呼ぶ。途中解析Ａについては、後に詳細に説明する。また、以下、疑似正規化履歴及び途中解析Ａの結果を総称して解析・推定済逆オークション情報と呼ぶ。この途中解析Ａの結果とは、解析の結果と、推定の結果と、の総称である。Ｒ／Ａｕ仲介ベンダー２０は、このように得られた解析・推定済逆オークション情報の画像をバイヤー３０へ提供する（図１においては、「途中解析：Ａ」で表されている）。
【００５４】
上記設定入札期間が満了すると（２０ｃ）、引き続き延長入札期間が設定され、逆オークションは延長される。このように、逆オークションが延長された場合には、Ｒ／Ａｕ仲介ベンダー２０は、図１に示すように、設定入札期間処理を終了し、延長入札期間処理へと移行する。
【００５５】
延長入札期間処理において、Ｒ／Ａｕ仲介ベンダー２０は、まず、延長入札期間におけるサプライヤ４０の入札行為の履歴について、疑似正規化を行い、疑似正規化履歴を得る。Ｒ／Ａｕ仲介ベンダー２０は、得られた疑似正規化履歴に基づき、Ｒ／Ａｕ自動延長ビット履歴カーブ（以下、単にビット履歴カーブと記載することもある）を作成し（２０ｄ）、得られたＲ／Ａｕ自動延長ビット履歴カーブの画像をバイヤー３０へ提供する。
【００５６】
また、Ｒ／Ａｕ仲介ベンダー２０は、疑似正規化履歴について、４５°ライン分析による解析を行い、この解析の結果に基づいて、サプライヤ４０の受注意欲を推定する（２０ｅ）。この４５°ライン分析による解析及び推定については、図１７及び図１８を用いて、後に詳述する。さらに、Ｒ／Ａｕ仲介ベンダー２０は、設定入札期間処理と同様に、疑似正規化履歴について、準平行部分の抽出による解析を行い、この解析の結果に基づいて、サプライヤ４０の原価ラインを推定する（２０ｅ）。
【００５７】
Ｒ／Ａｕ仲介ベンダー２０は、４５°ライン分析による解析及び推定の結果と、準平行部分の抽出による解析及び推定の結果と、を上記解析・推定済逆オークション情報に付加した後、この解析・推定済逆オークション情報をバイヤー３０へ提供する。以下、このように、Ｒ／Ａｕ仲介ベンダー２０が、延長入札期間内に、疑似正規化履歴について行う解析及び推定を途中解析Ｂと呼ぶ。
【００５８】
Ｒ／Ａｕ仲介ベンダー２０は、このように得られた解析・推定済逆オークション情報の画像をバイヤー３０へ提供する。
【００５９】
途中解析Ｂは、延長入札期間毎に行われる。したがって、例えば、Ｒ／Ａｕ仲介ベンダー２０は、設定入札期間終了後に、延長入札期間を１回設定した場合には、途中解析Ｂを１回行い、延長入札期間を３回設定した場合には、途中解析Ｂを３回行うこととなる。
【００６０】
また、本実施の形態においては、Ｒ／Ａｕ仲介ベンダー２０は、逆オークションが終了した後に、逆オークション全体のビット履歴について、所定の解析及び推定（以下、最終結果解析と記載する）を行い、得られた結果を上記解析・推定済逆オークション情報に付加した後、この解析・推定済逆オークション情報をバイヤー３０へ提供する。なお、本発明者等は、既にこの最終結果解析の方法を上記先の出願に詳細に開示している。このため、この最終結果解析の方法は本発明には含めない。
【００６１】
解析及び推定の内容
このように、本実施の形態の逆オークションでは、Ｒ／Ａｕ仲介ベンダー２０は、設定入札期間において途中解析Ａを行い、延長入札期間において途中解析Ｂを行い、逆オークション後に最終結果解析を行う。途中解析Ａ及び途中解析Ｂの結果を含む解析・推定済逆オークション情報は、逆オークションが終了する前に、バイヤー３０へ提供され、一方、最終結果解析の結果を含む解析・推定済逆オークション情報は、逆オークション終了後に、バイヤー３０へ提供される。本実施の形態において特徴的なことは、Ｒ／Ａｕ仲介ベンダー２０が、逆オークション終了前に、サプライヤ４０のビット履歴について途中解析Ａ及び途中解析Ｂを行い、得られた解析・推定済逆オークション情報をバイヤー３０に提供することである。なお、本発明者等は、既に、逆オークション終了後に、最終結果解析の結果をバイヤー３０へ提供する方法を上記先の出願に詳細に開示している。
【００６２】
図２には、これらの解析の内容をまとめた説明図が示されている。この図の上段に示すように、途中解析Ａでは、Ｒ／Ａｕ仲介ベンダー２０は、刻み時刻ｔｎを設定して設定入札期間を一定の間隔に分割した後、所定の期間ｔｎ〜ｔｎ−１毎に、サプライヤ４０の入札履歴について、準平行部分の抽出による解析を行う。なお、ｎは設定入札期間の分割数であり、０〜Ｎの整数である。さらに、Ｒ／Ａｕ仲介ベンダー２０は、この解析の結果に基づき、サプライヤ４０が有する原価ラインを推定する。途中解析Ａの具体例については、図１０〜１６を用いて、後に詳細に説明する。
【００６３】
図２の中段に示すように、途中解析Ｂでは、Ｒ／Ａｕ仲介ベンダー２０は、刻み時刻ｔｎを設定して設定入札期間を分割するの代わりに、刻み時刻ｔｍを設定して延長入札期間を分割する点を除き、途中解析Ａと同様な方法により、延長入札期間におけるサプライヤ４０が有する原価ラインを推定する。なお、ｍは延長入札期間の分割数であり、０〜Ｍの整数である。一般的に、設定入札期間は、延長入札期間よりも長期間に設定されるため、ｍはｎよりも小さい値となる。
【００６４】
さらに、Ｒ／Ａｕ仲介ベンダー２０は、直前の入札期間におけるサプライヤ４０のビット履歴について、４５°ライン分析による解析を行う。なお、入札期間とは、設定入札期間、及び延長入札期間と同義である。この解析の結果に基づいて、Ｒ／Ａｕ仲介ベンダー２０は、直前の入札期間におけるサプライヤ４０の受注意欲を推定する。途中解析Ｂの具体例については、図１７及び図１８を用いて、後に詳細に説明する。
【００６５】
また、本実施の形態では、図２の下段に示すように、最終結果解析において、Ｒ／Ａｕ仲介ベンダー２０は、終了した逆オークションにおける全体のビット履歴について、準平行部分の抽出による解析を行い、サプライヤ４０の原価ラインを推定する。さらに、Ｒ／Ａｕ仲介ベンダー２０は、この全体のビット履歴について４５°ライン分析による解析を行い、サプライヤ４０の受注意欲を推定する。
【００６６】
このように、Ｒ／Ａｕ仲介ベンダー２０が、解析及び推定を行う時期によって、解析の内容は異なるのである。
【００６７】
逆オークションにおける情報の流れ
上記の通り、本実施の形態の逆オークションでは、Ｒ／Ａｕ仲介ベンダー２０は、サプライヤ４０による入札行為に基づき作成したビット履歴カーブや、途中解析Ａ及び途中解析Ｂ等の結果、得られた解析・推定済逆オークション情報をバイヤー３０へ提供する。以下、本実施の形態の逆オークションシステムにおける情報の流れについて説明する。
【００６８】
なお、本実施の形態において、Ｒ／Ａｕ仲介ベンダー２０はセンター装置２２を所有し、バイヤー３０は購入者装置３２を所有し、サプライヤ４０は入札者装置４２を所有する。これらの購入者装置３２及び入札者装置４２は、ネットワーク１０を介して、センター装置２２に接続している。
【００６９】
本実施の形態において、実際には、Ｒ／Ａｕ仲介ベンダー２０，バイヤー３０、及びサプライヤ４０は、上記各装置を操作して、逆オークションにおける所定の動作を行うことになる。また、実施の形態において、「Ｒ／Ａｕ仲介ベンダー２０が行う動作」は、「Ｒ／Ａｕ仲介ベンダー２０の従業員が、センター装置２２を用いて、Ｒ／Ａｕ仲介ベンダー２０の名前で行う動作」を意味し、「バイヤー３０が行う動作」は、「バイヤー３０の従業員が、購入者装置３２を用いて、バイヤー３０の名前で行う動作」を意味し、「サプライヤ４０が行う動作」は、「サプライヤ４０の従業員が、入札者装置４２を用いて、サプライヤ４０の名前で行う動作」を意味することはいうまでもない。
【００７０】
上記各装置はいずれも、逆オークション実行中に、その逆オークションに関する情報について、それぞれ所定の画像を表示する。Ｒ／Ａｕ仲介ベンダー２０，ベンダー３０及びサプライヤ４０は、上記所定の画像を参照することにより、逆オークションに関する情報を知ることとなるが、これらの装置及び画像に関しては、後に図面を用いて詳述する。
【００７１】
図３には、本実施の形態における逆オークションの情報の流れを表す説明図が示されている。本実施の形態において、サプライヤ４０は、図３の左上に示す画面を参照しながら、入札行為を行い、この入札行為をネットワーク１０を介して、Ｒ／Ａｕ仲介ベンダー２０へ提供する。なお、サプライヤ４０は上記画面を参照することにより、逆オークションに関する所定の情報を知ることができる。
【００７２】
Ｒ／Ａｕ仲介ベンダー２０は、受信したサプライヤ４０の入札行為の履歴であるビット履歴について、上述した途中解析Ａ及び途中解析Ｂを行うことにより、解析・推定済逆オークション情報を得る。図３の右上には、解析・推定済逆オークション情報の概念を表すグラフが示されている。また、図３の右下には、この解析・推定済逆オークション情報を表す画像の一例が示されている。Ｒ／Ａｕ仲介ベンダー２０は、この画像を参照することにより、逆オークションのビット履歴や、途中解析Ａ及び途中解析Ｂの結果をリアルタイムに知ることができる。Ｒ／Ａｕ仲介ベンダー２０は、ネットワーク１０を介し、この解析・推定済逆オークション情報をバイヤー３０へ提供する。バイヤー３０は、図３の左下に示す画像を参照することにより、受信した解析・推定済逆オークション情報をリアルタイムに知ることができる。
【００７３】
このように、本実施の形態における逆オークションシステムにおいて、Ｒ／Ａｕ仲介ベンダー２０は、サプライヤ４０の入札行為に基づいて、途中解析Ａ及び途中解析Ｂを行い、その結果、得られた解析・推定済逆オークション情報をバイヤー３０へ提供することが可能である。この解析・推定済逆オークション情報は、Ｒ／Ａｕ仲介ベンダー２０及びバイヤー３０に、それぞれ蓄積される。なお、Ｒ／Ａｕ仲介ベンダー２０は、過去に行われた全ての逆オークションにおける解析・推定済逆オークション情報を蓄積し、一方、バイヤー３０は、自社が参加した逆オークションにおける解析・推定済逆オークション情報のみ蓄積することが可能である。
【００７４】
情報の蓄積
図４には、図３の周辺動作を表す説明図が示されている。この図の左上には、図３と同様の説明図が示されており、この図の左下には、バイヤー３０が所有する購入者装置３２が、Ｒ／Ａｕ仲介ベンダー２０からの解析・推定済逆オークション情報を蓄積する様子が示されている。また、この図の右上には、Ｒ／Ａｕ仲介ベンダー２０が所有するセンター装置２２が、解析・推定済逆オークション情報を蓄積する様子が示されており、この図の右下には、Ｒ／Ａｕ仲介ベンダー２０が蓄積した解析・推定済逆オークション情報に基づき、所定の設定値を求める様子が示されている。なお、図中の「Ｄ／Ｂ化」は、解析・推定済逆オークション情報をデータベース化することを意味する。
【００７５】
推定原価構成
Ｒ／Ａｕ仲介ベンダー２０は、図４の右下に示すように、これまでに蓄積した解析・推定済逆オークション情報に基づき、逆オークションの対象商材について、各サプライヤ４０が有する推定原価構成を設定する。すなわち、準平行部分の抽出による解析の結果、推定されたサプライヤ４０の原価ラインと、そのサプライヤ４０が有する推定原価構成は対応しているので、Ｒ／Ａｕ仲介ベンダー２０は、解析・推定済逆オークションの中の推定原価ラインに基づき、サプライヤ４０が有する推定原価構成を設定することができる。本発明者等は、先に、上記原価ラインと、推定原価構成と、の関係を上記先の出願に詳細に開示している。なお、推定原価構成は、費目別原価を積み上げることにより構成されており、その詳細については、上記先の出願に開示されているので、本特許では、特に詳細には説明しない。                     
落札推定価格
また、Ｒ／Ａｕ仲介ベンダー２０は、これまでに蓄積した解析・推定済逆オークション情報に基づき、最後の入札価格、すなわち落札価格を設定（推定）する。以下、このようにＲ／Ａｕ仲介ベンダー２０が設定した落札価格を落札推定価格と呼ぶ。この落札推定価格は、例えば、同じ対象商材の蓄積された全ての解析・推定済逆オークション情報において、異常値を除いた下限値、又はこの下限値よりも低い価格が落札推定価格と設定（推定）する。また、上記下限値の代わりに、異常値を除いた平均値を用いて、落札推定価格を設定することも好ましい。
【００７６】
このように、本実施の形態では、Ｒ／Ａｕ仲介ベンダー２０は、これまでに蓄積した解析・推定済逆オークション情報に基づき、逆オークション開始前に、予めサプライヤ４０の推定原価構成と、落札推定価格と、を設定し、これらの設定値に基づいて途中解析Ａ及び途中解析Ｂを行う。このため、本実施の形態では、Ｒ／Ａｕ仲介ベンダー２０は、逆オークションが終了する前に、上記途中解析Ａ及び途中解析Ｂを行い、得られた解析・推定済逆オークション情報をバイヤー３０へ提供することができるのである。また、Ｒ／Ａｕ仲介ベンダー２０は、より多くの解析・推定済逆オークション情報を蓄積することにより、上記途中解析Ａ及び途中解析Ｂにおいて、原価ライン及び受注意欲の推定の精度を向上させることが可能となる。
【００７７】
全体構成
図５には、本実施の形態の逆オークションシステムを構成する装置の機能ブロック図が示されている。この図に示すように、逆オークションシステムは、Ｒ／Ａｕ仲介ベンダー２０が所有するセンター装置２２と、バイヤーが所有する購入者装置３２と、各サプライヤが所有する入札者装置４２と、から構成される。また、この図に示すように、センター装置２２には、ネットワーク１０を介して、購入者装置３２及び入札者装置４２が接続している。
【００７８】
なお、センター装置２２は、特許請求の範囲に記載の逆オークションシステム用仲介ベンダーサーバ装置の一例に相当し、購入者装置３２は、特許請求の範囲に記載の購入者側端末の一例に相当し、入札者装置４２は、特許請求の範囲に記載の販売者側端末の一例に相当する。また、センター装置２２は、特許請求の範囲に記載の入札情報解析装置の一例に相当する。
【００７９】
以下、この逆オークションシステムについて詳細に説明する。
【００８０】
センター装置
センター装置２２は、図５に示すように、制御部２２ａと、入札履歴情報ＤＢ２２ｂと、疑似正規化履歴情報ＤＢ２２ｃと、解析・推定済情報ＤＢ２２ｄと、通信部２２ｅと、から構成される。このセンター装置２２は、例えばネットワークサーバ機能を有する情報処理装置（例えば、コンピュータ）であるのが好ましい。センター装置２２には、入力手段３１０や、後述する逆オークションに関する情報を表示する表示手段３００が接続されている。
【００８１】
制御部２２ａは、主に、逆オークション実行中に、サプライヤ４０の入札行為を入札履歴情報ＤＢ２２ｂへ記録させ、このビット履歴に基づいて作成したビット履歴カーブを購入者装置３２へ送信する機能と、上記入札履歴について上記途中解析Ａ及び途中解析Ｂを行い、得られた結果を購入者装置３２へ送信する機能と、を有する。
【００８２】
制御部２２ａは、通信部２２ｅを用いて、ネットワーク１０を介し、入札者装置４２から送信されるサプライヤ４０の入札行為を受信し、この受信した入札行為をさらに入札履歴情報ＤＢ２２ｂへ送信する。
【００８３】
また、制御部２２ａは、サプライヤ４０の上記入札行為の履歴である入札履歴について、後述する疑似正規化を行い、得られた疑似正規化履歴を疑似正規化履歴情報ＤＢ２２ｃへ送信する。さらに、制御部２２ａは、上記疑似正規化履歴に基づいて、ビット履歴カーブを作成し、得られたビット履歴カーブを通信部２２ｅを用いて、ネットワーク１０を介し、購入者装置３２へ送信する。
【００８４】
さらに、制御部２２ａは、上記疑似正規化履歴について、途中解析Ａ及び途中解析Ｂを行い、得られた解析・推定済逆オークション情報を解析・推定済情報ＤＢ２２ｄへ送信する。また、制御部２２ａは、この解析・推定済逆オークション情報を通信部２２ｅを用いて、ネットワーク１０を介し、購入者装置３２にも送信する。
【００８５】
なお、本実施の形態における制御部２２ａは、タイマーを内蔵している。このように、コンピュータの制御部がタイマーを内蔵することは、従来からよく知られている。このタイマーは、入札期間毎に起動し、その入札期間における経過時間を計測する。制御部２２ａは、このタイマーが計測する上記経過時間経過時間に基づき、その入札期間の残り時間を表す所定の画像を作成し、通信部２２ｅを用いて、ネットワーク１０を介し、購入者装置３２にも送信する。この画像については、図８を用いて後に詳述する。なお、このタイマーは、ハードウェアで構成されるのが好ましく、ソフトウェアで構成されるのも好ましい。
【００８６】
この制御部２２ａは、特許請求の範囲に記載された記録手段、解析・推定手段、タイマー手段、及び画像作成手段の一例に相当する機能を含むものである。また、制御部２２ａは、例えばメモリ及びＣＰＵ（中央演算装置）により構成される。上述した記録や解析及び推定等の動作は、これらを実行するためのプログラムを上記メモリが格納し、上記ＣＰＵがこのプログラムを実行することにより、実現されることが好ましい。また、このプログラムは、特許請求の範囲に記載のコンピュータを動作させるプログラムの一例に相当する。
【００８７】
入札履歴情報ＤＢ２２ｂは、制御部２２ａから送信されたサプライヤ４０の入札行為を記録するデータベースである。この入札履歴情報ＤＢ２２ｂは、例えばハードディスクによって構成される。もちろん、光ディスク等を利用することも好ましい。
【００８８】
疑似正規化履歴情報ＤＢ２２ｃは、制御部２２ａから送信された疑似正規化履歴を記録するデータベースである。この疑似正規化履歴情報ＤＢ２２ｃは、実際には、入札履歴情報ＤＢ２２ｂとハードディスクを共有することが好ましい。
【００８９】
解析・推定済情報ＤＢ２２ｄは、制御部２２ａから送信された解析・推定済逆オークション情報を記録するデータベースである。この解析・推定済情報ＤＢ２２ｄは、実際には、疑似正規化履歴情報ＤＢ２２ｃと同様に、入札履歴情報ＤＢ２２ｂとハードディスクを共有することが好ましい。
【００９０】
通信部２２ｅは、逆オークション実行中に、購入者装置３２及び入札者装置４２に対して、逆オークションに関する特定の情報の送受信を行う。例えば、購入者装置３２に関しては、逆オークションの設定条件等の受信や、上記ビット履歴カーブ及び解析・推定済逆オークション情報等の送信を行う。一方、入札者装置４２に関しては、各サプライヤ４０の入札行為等の受信や、その時点における最低入札価格等の入札行為に関する情報の送信を行う。本実施の形態における通信部２２ｅは、ネットワーク１０に接続するインターフェースである。この通信部２２ｅは、特許請求の範囲に記載された送信手段の一例に相当する機能を含むものである。
【００９１】
購入者装置及び入札者装置
本実施の形態における購入者装置３２及び入札者装置４２は、上記先の出願における実施の形態１に記載された購入者装置３２及び入札者装置４２と同様の構成であるのが好ましい。本実施の形態における購入者装置３２及び入札者装置４２は、例えばコンピュータであり、ネットワーク１０を介して接続しているセンター装置２２へアクセスし、本実施の形態の逆オークションシステムを利用するための機能を有している。
【００９２】
すなわち、本実施の形態における購入者装置３２及び入札者装置４２は、いずれも、上記先の出願と同様に、逆オークションに関する情報を入力する入力手段と、センター装置２２に所定の情報を送受信する通信手段と、センター装置２２から送信された画像を表示する表示手段と、を有している。
【００９３】
本実施の形態において、バイヤー３０及びサプライヤ４０は、購入者装置３２及び入札者装置４２の表示手段が示す画像を参照することにより、逆オークションに関する情報を知ることとなる。以下、これらの表示手段が表す画像の具体例について、図面を用いて説明する。
【００９４】
購入者装置における画像
図６には、設定入札期間における購入者装置３２の表示手段が表す画像の一例の説明図が示されている。この図の右側に示すように、購入者装置３２の表示手段は、逆オークションの解析・推定済逆オークション情報を表す画像を表示する。この画像中には、上記途中解析Ａにおいて、Ｒ／Ａｕ仲介ベンダー２０が推定した原価ラインを、バイヤー３０が視覚的に認識し易くするために、３本の太線のマーキング３４が描かれている。これらのマーキング３４は、後述するように、Ｒ／Ａｕ仲介ベンダー２０によって、途中解析Ａにおいて抽出した準平行部分に相当する箇所に描かれる。また、逆オークションの設定終了時刻が近づいた場合には、バイヤー３０が逆オークションの残り時間を認識し易くするために、上記画像中に、所定の警告ライン３６が同時に描かれることも好ましい。
【００９５】
なお、図６の左側に示すＲ／Ａｕ仲介ベンダー２０が設定したサプライヤ４０の推定原価構成を用いて、上記画像中のマーキング３４について、より詳細な説明図を描くことも好ましい。すなわち、この画像中の各マーキング３４が、直接原価、卸売り仕入れ原価、又は小売り仕入れ原価のうち、いずれの原価ラインに相当するが明示することも好ましい。また、マーキング３４に対応する入札価格を同時に表示することも好ましい。
【００９６】
入札者装置における画像
一方、逆オークション実行中に、入札者装置４２の表示手段は所定の画像を表示する。入札者装置４２の表示手段は、実行中の逆オークションにおけるサプライヤ４０の入札状況等の情報画像を表示する。すなわち、上記表示手段は、逆オークション実行中に、その時点における各サプライヤ４０の順位と、入札を行ったサプライヤ４０の入札者ＩＤと、その時点における各サプライヤ４０の最低入札価格と、これらの入札が行われた最終入札時間と、を表示する。このような構成により、サプライヤ４０は、逆オークション実行中に、参加サプライヤ４０の入札状況をリアルタイムに知ることができる。
【００９７】
また、本実施の形態では、Ｒ／Ａｕ仲介ベンダー２０は、上記画像における特定の情報のみをサプライヤ４０が参照できるように、この特定の情報以外の画像をマスキングしてサプライヤ４０へ提供することも好ましい。例えば、Ｒ／Ａｕ仲介ベンダー２０は、実行中の逆オークションについて、その時点における最低入札価格と、情報の提供先であるサプライヤ４０の最低入札価格及びその時点における順位と、をそのサプライヤ４０へ提供することも好ましい。
【００９８】
また、Ｒ／Ａｕ仲介ベンダー２０は、その時点における最低入札価格を提供せずに、情報の提供先であるサプライヤ４０の最低入札価格及びその時点における順位のみをそのサプライヤ４０へ提供することも好ましい。このように、Ｒ／Ａｕ仲介ベンダー２０が特定の情報のみをサプライヤ４０へ提供することにより、逆オークションに最小限必要な情報がより見やすくなり、サプライヤ４０が逆オークションにより集中できるという効果が期待できる。
【００９９】
サプライヤ４０は、上述した画面を参照しながら、入札者装置３２を用いて入札を行い、入札者装置３２は、ネットワーク１０を介して、サプライヤ４０の入札行為をＲ／Ａｕ仲介ベンダー２０のセンター装置２２へ送信するのである。
【０１００】
２．制御部の動作
本実施の形態において、制御部２２ａは、逆オークション実行中に、サプライヤ４０からの入札行為に基づいて、サプライヤ４０の入札履歴を表すビット履歴カーブを作成する動作と、上記入札履歴について、所定の解析及び推定を行う動作と、を行う。これらの２つの動作は、例えば、制御部２２ａが２個のＣＰＵを有し、制御部２２ａのメモリに格納された各動作に対応する２つのプログラムをＣＰＵが実行することにより、並行して実行してもよいし、１個のＣＰＵが時分割により２つのプログラムを実行して、２つの動作を行うことも好ましい。
【０１０１】
なお、上述したように、後半の所定の解析及び推定の内容は、設定入札期間の途中解析Ａと、延長入札期間の途中解析Ｂと、では相違するため、かかる相違点に基づき制御部２２ａの動作も異なる。このため、逆オークション実行中の制御部２２ａの動作について、以下、設定入札期間と、延長入札期間と、を個別に説明する。
【０１０２】
２−１．設定入札期間における制御部の動作
ビット履歴カーブの作成
図７には、ビット履歴カーブをバイヤー３０へ提供する際の制御部２２ａの動作を中心としたフローチャートが示されている。このフローチャートは、設定入札期間における制御部２２ａの動作について説明するものである。
【０１０３】
ステップＳ９−１において、制御部２２ａは、通信部２２ｅにおいて受信したサプライヤ４０からの入札行為を入札履歴情報ＤＢ２２ｂへ送信する。この送信された入札行為は入札履歴情報ＤＢ２２ｂに記録される。入札履歴情報ＤＢ２２ｂは、逆オークション毎に入札行為を蓄積する。このように、本実施の形態における入札履歴とは、入札履歴情報ＤＢ２２ｂにおいて蓄積された入札行為群である。
【０１０４】
ステップＳ９−２において、制御部２２ａは、入札履歴情報ＤＢ２２ｂからその時点までに蓄積された入札履歴を抽出し、この抽出した入札履歴について、疑似正規化を実行する。ここで、その時点までに蓄積された入札履歴とは、逆オークション開始から現時点までの入札履歴である。以下、疑似正規化の方法について説明する。
【０１０５】
疑似正規化
本実施の形態において、制御部２２ａは、逆オークションに要する時間や、入札価格が異なる複数のビット履歴について、それらのビット履歴の比較を容易にするために、サプライヤ４０からのビット履歴について疑似正規化を行う。また、このようなビット履歴の疑似正規化を行うことにより、制御部２２ａは、後述するビット履歴の解析及び推定を画一的に行うことができる。
【０１０６】
本発明者等は、先に、終了した逆オークションにおけるビット履歴を正規化する方法を独自に開発し、この方法を先の出願（段落００５８〜段落００７１）に詳細に開示している。本実施の形態における疑似正規化の方法は、上記先の出願に係る発明の正規化の方法とほぼ同様である。しかしながら、本実施の形態では、上記先の出願の正規化とは異なり、逆オークションが終了する前に、ビット履歴について正規化を行う。このため、本実施の形態では、ビット履歴を正規化することを疑似正規化と呼ぶ。
【０１０７】
また、先の出願では、逆オークションの落札価格を用いて、サプライヤ４０によるビット履歴について正規化を行っている。しかしながら、本実施の形態の疑似正規化は、逆オークション実行中に行うため、その逆オークションにおける落札価格がわからない。このため、本実施の形態の疑似正規化においては、上記落札価格の代わりに、Ｒ／Ａｕ仲介ベンダー２０が推定した落札推定価格を用いて、実際の逆オークションにおける入札価格を疑似正規化する。疑似正規化後の入札価格は、０〜１の実数の範囲中のいずれかの値をとる。以下、このように、疑似正規化された入札価格を先の出願と同様に、価格指数（Ｐ）と呼ぶ。
【０１０８】
Ｒ／Ａｕ仲介ベンダー２０は、これまで蓄積した解析・推定済逆オークション情報に基づいて、上記落札推定価格を求めることが好ましい。このように、本実施の形態では、制御部２２ａは、逆オークション実行中（逆オークション終了前）に、サプライヤ４０のビット履歴について疑似正規化を行う。
【０１０９】
なお、本実施の形態において、Ｒ／Ａｕ仲介ベンダー２０は、先の出願と同様の方法で、入札時刻を疑似正規化する。疑似正規化後の入札時刻は、０〜１の実数の範囲中のいずれかの値をとる。以下、このように、疑似正規化された入札時刻を先の出願と同様に、時間指数（Ｔ）と呼ぶ。
【０１１０】
ステップＳ９−３において、制御部２２ａは、疑似正規化された入札履歴である疑似正規化履歴を疑似正規化履歴情報ＤＢ２２ｃへ送信する。この送信された疑似正規化履歴は、疑似正規化履歴情報ＤＢ２２ｃに記録される。
【０１１１】
ステップＳ９−４において、制御部２２ａは、疑似正規化履歴情報ＤＢ２２ｃから、上記疑似正規化履歴を抽出し、この抽出した疑似正規化履歴に基づいて、ビット履歴カーブを作成する。図８には、このビット履歴カーブの一例を表す説明図が示されている。この図８に示す各点は、それぞれサプライヤ４０の入札行為に対応している。以下、このようにサプライヤ４０の入札行為に基づく点をビットと呼ぶ。また、図８に示すグラフの縦軸は価格指数（Ｐ）を表し、横軸は時間指数（Ｔ）を示す。
【０１１２】
ビット履歴カーブは、入札行為に対応する上記各点を、この入札行為が行われた時刻の順番で結ぶことにより、その時刻における最低入札価格を示すグラフである。具体的には、図８に示すように、その時刻における最低入札価格を示す階段状のグラフである。なお、上記ビット履歴カーブは、上記階段状のグラフで用いたビットを直線で結び、折れ線グラフとして表現することも可能である。
【０１１３】
ステップＳ９−５において、制御部２２ａは、作成したビット履歴カーブを画像データへ変換し、この画像データを通信部２２ｅからネットワーク１０を介して、購入者装置３２へ送信する。
【０１１４】
ステップＳ９−６において、制御部２２ａは、サプライヤ４０による新たな入札行為があるか否かを判断する。制御部２２ａが、サプライヤ４０による新たな入札行為があると判断した場合には、ステップＳ９−１へ移行し、入札履歴の更新及びビット履歴カーブの更新を繰り返す。一方、制御部２２ａが、サプライヤ４０による新たな入札行為がないと判断した場合には、ステップＳ９−７へ移行する。
【０１１５】
ステップＳ９−７おいて、制御部２２ａは、現在の時刻が、逆オークションの設定入札期間を満了したか否かを判断する。制御部２２ａは、設定入札期間を満了したと判断した場合には、後述する延長入札期間となったものと判断し、図７のフローチャートを終わらせる。一方、制御部２２ａが、上記設定入札期間を満了していないと判断した場合には、ステップＳ９−６に移行し、新たな入札行為の有無を再び判断する。
【０１１６】
このように、本実施の形態では、Ｒ／Ａｕ仲介ベンダー２０は、サプライヤ４０から新たな入札行為がある毎に、入札履歴カーブを作成し、バイヤー３０へ送信する。このため、バイヤー３０は、サプライヤ４０の入札行為をリアルタイムに知ることができる。
【０１１７】
入札履歴の解析及び推定
図９には、制御部２２ａが、疑似正規化した入札履歴について、途中解析Ａを行い、得られた解析・推定済逆オークション情報をバイヤー３０へ提供する際の制御部２２ａの動作を中心としたフローチャートが示されている。
【０１１８】
ステップＳ１１−１において、制御部２２ａは、疑似正規化履歴情報ＤＢから、疑似正規化履歴を抽出する。
【０１１９】
ステップＳ１１−２において、制御部２２ａは、抽出した疑似正規化履歴について途中解析Ａを行う。以下、この途中解析Ａにおける制御部２２ａの動作について詳細に説明する。
【０１２０】
途中解析Ａ
途中解析Ａにおいて、制御部２２ａは、設定入札期間が満了する前に、設定入札期間におけるビット履歴について疑似正規化を行い、得られた疑似正規化履歴について準平行部分の抽出による解析及び推定を行う。制御部２２ａは、この解析の結果に基づき、サプライヤ４０の推定原価ラインを求める。
【０１２１】
本発明者等は、先に、終了した逆オークションにおけるビット履歴について、平行ラインの抽出による解析を行い、得られた解析の結果に基づいて、サプライヤ４０の推定原価ラインを求める方法を開発し、上記先の出願（段落２４４−段落２４６）に詳細に開示している。本実施の形態における準平行部分の抽出による解析及び推定の方法は、先の出願の平行ラインの抽出による解析及び推定の方法とほぼ同様である。また、この解析の際に、制御部２２ａがビット履歴から抽出する部分には、完全な平行部分のみならず、ほぼ平行な部分も含まれるため、本実施の形態では、この解析において抽出した部分を準平行部分と呼ぶ。
【０１２２】
本実施の形態において、上記準平行部分の抽出による解析及び推定を逆オークションが終了する前に行う点が、先の出願の方法とは異なるので、かかる相違点に基づく、動作上の相違がある。以下、この動作上の主な相違点である上記解析及び推定のタイミングを中心にして、準平行部分の抽出による解析及び推定の方法について詳細に説明する。
【０１２３】
準平行部分の抽出による解析及び推定のタイミング
本実施の形態の準平行部分の抽出による解析及び推定において特徴的な点は、逆オークションが終了する前に、制御部２２が、逆オークションの設定入札期間におけるビット履歴について、上記解析及び推定を行うことである。
【０１２４】
図１０（１）には、本実施の形態における逆オークション実行中のビット履歴の一例を表すグラフが示されている。このグラフの縦軸は入札価格を表し、横軸は設定入札期間を表している。この図に示すように、本実施の形態では、Ｒ／Ａｕ仲介ベンダー２０は、逆オークションの設定入札期間について、刻み時刻ｔｎ（ｎ＝０〜Ｎの整数）を設定することにより、設定入札期間を一定の間隔で分割する。以下、このように分割された各間隔を解析間隔期間（以下、単位時間と記載することもある）と呼ぶ。制御部２２ａは、現在の時刻が刻み時刻ｔｎとなった際に、上記解析間隔期間ｔｎ〜ｔｎ−１におけるビット履歴毎に、準平行部分の抽出による解析及び推定を行う。
【０１２５】
図１０（１）は、上記設定入札期間が２時間（設定入札時刻が１０：００であり、設定入札終了時刻が１２：００である）であり、解析間隔期間をこの設定入札期間の１／１０となるように設定した例を示している。この場合には、設定入札期間の分割数が１０となるため、上記刻み時刻ｔｎにおけるｎの値は、０から１０の整数となり、制御部２２ａは、逆オークションが開始されてから、１２分毎にビット履歴を解析することとなる。
【０１２６】
本実施の形態では、このように、各逆オークションにおける解析間隔期間は、各解析間隔期間ｔｎ〜ｔｎ−１における解析及び推定の結果同士を比較できるように、同じ時間に設定する。すなわち、制御部２２ａは、図１０（１）の全ての解析間隔期間が１２分間となるように、刻み時刻ｔｎを設定する。
【０１２７】
一方、上述したように、各逆オークションにおいて、全ての解析間隔期間を同じ時間に設定すれば、逆オークション毎の分割数が異なっても構わない。例えば、図１０（１）の逆オークションでは、分割数が１０となるように、刻み時刻ｔｎを設定し、他の逆オークションにおいて、分割数が２０となるように、すなわち、上記解析間隔期間が設定入札期間の１／２０となるように、刻み時刻ｔｎを設定することも好ましい。
【０１２８】
本実施の形態において、制御部２２ａは、上述したように、現在の時刻が刻み時刻ｔｎとなった時点で、解析間隔期間ｔｎ〜ｔｎ−１のビット履歴について、準平行部分の抽出による解析を行う。具体的に説明すると、例えば、図１０（１）の現在の時刻が、刻み時刻ｔ３（１０：３６）となった時点で、制御部２２ａは、解析間隔期間ｔ３〜ｔ２（１０：３６〜１０：２４）におけるビット履歴について解析を行うのである。
【０１２９】
また、このように、現在の時刻が刻み時刻ｔｎとなる場合の他にも、制御部２２ａは、バイヤー３０からの遡及解析の請求に応じて、現在の時刻までのビット履歴について準平行部分の抽出による解析を行う場合がある。以下、逆オークションにおける現在の時刻が１０：３６である例を用いて、この遡及解析について詳細に説明する。
【０１３０】
図１０における１０：００〜１０：３６のビット履歴の拡大図が図１１に示されている。この図に示すように、バイヤー３０から遡及解析の請求が行われると、制御部２２ａは、逆オークションの設定入札期間について、刻み時刻ｔ’ｉ（ｉ＝０〜Ｉの整数である）を１分毎に設定する。この刻み時刻ｔ’ｉは、上記刻み時刻ｔｎとは別に設定される刻み時刻であり、ｔｎよりもさらに細かく設定入札期間を分割する。
【０１３１】
本実施の形態では、逆オークションの設定入札期間は２時間であるため、上記刻み時刻ｔ’ｉにおけるｉの値は、０〜１２０の整数となる。なお、この刻み時刻ｔ’ｉは、解析間隔期間が１２分とるように設定すればよく、例えば、刻み時刻ｔ’ｉを２分単位で設定することも好ましく、６分単位で設定することも好ましい。
【０１３２】
一方、バイヤー３０は、Ｒ／Ａｕ仲介ベンダー２０に対し、遡及解析を請求する際に、刻み時刻ｔ’ｉを指定することにより、解析間隔期間ｔ’ｉ〜ｔ’ｉ−１２を選択することができる。すなわち、バイヤー３０は、現在の時刻より過去のビット履歴について、１分単位で遡って上記遡及解析を請求することができる。
【０１３３】
本実施の形態では、この刻み時刻ｔ’ｉを１分毎に設定しているため、Ｒ／Ａｕ仲介ベンダー２０は、バイヤー３０から刻み時刻ｔ’ｉを指定して、遡及解析の請求があった場合には、解析間隔期間ｔ’ｉ〜ｔ’ｉ−１２のビット履歴について解析を行う。具体的には、例えば、バイヤー３０から刻み時刻ｔ’３５（１０：３５）における遡及解析の請求があった場合には、Ｒ／Ａｕ仲介ベンダー２０は、解析間隔期間ｔ’３５〜ｔ’２３（１０：３５〜１０：２３）のビット履歴について、解析を行う。本実施の形態では、現在の時刻が１０：３６なので、バイヤー３０は、ｔ’３６〜ｔ’１２の範囲内で刻み時刻ｔ’ｉを指定し、遡及解析を請求することができる。
【０１３４】
制御部２２ａは、上記解析間隔期間（ｔｎ〜ｔｎ−１、又はｔ’ｉ〜ｔ’ｉ−１２）におけるビット履歴について、疑似正規化を行った後、得られた疑似正規化履歴について解析を行う。図１０（１）のビット履歴を疑似正規化することにより、得られた疑似正規化履歴のグラフが、図１０（２）に示されている。これらの図に示すように、ビット履歴を疑似正規化することにより、図１０（１）に示す疑似正規化前のグラフにおける刻み時刻ｔｎは、図１０（２）に示す疑似正規化後のグラフでは、対応する刻み時刻指数Ｔｎへ変換される。したがって、図１０（１）に示すように、Ｒ／Ａｕ仲介ベンダーが予め設定した刻み時刻ｔｎ〜ｔｎ−１に間のビット履歴について解析を行う場合には、実際には、制御部２２ａは、図１０（２）の対応する刻み時刻指数Ｔｎ〜Ｔｎ−１における疑似正規化履歴について解析を行う。
【０１３５】
準平行部分の抽出による解析方法
上述したように、現在の時刻が刻み時刻ｔｎとなるか、又はバイヤー３０による請求が行われた場合には、制御部２２ａは、所定のビット履歴について、疑似正規化を行った後、準平行部分の抽出による解析を行う。制御部２２ａは、この抽出した準平行部分に基づいて、各サプライヤ４０が有する原価ラインを推定する。この解析方法の詳細については、本発明者等は、上述したように、既に先の出願に開示している。以下、この解析方法を説明する。
【０１３６】
図１２には、本実施の形態における準平行部分を抽出する解析方法の概要を表す説明図が示されている。なお、この図の上段には、疑似正規化の際に、時間指数（Ｔ）及び価格指数（Ｐ）を算出するために用いる計算式の一例が同時に示されている。
【０１３７】
この図の左中央に示すように、制御部２２ａは、サプライヤ４０毎に、各解析間隔期間における疑似正規化履歴の傾きと、そのビット粗密度と、に基づいて、ビット履歴における準平行部分を抽出する。本実施の形態において、制御部２２ａは、ビット履歴の傾きが５％より小さく、かつビット粗密度が０．３以上である場合に、そのビット履歴が準平行部分であると判断する。しかしながら、これらの基準値（５％及び０．３）は経験値であるため、Ｒ／Ａｕ仲介ベンダー２０における解析・推定済逆オークション情報の蓄積に伴い、変動する場合がある。
【０１３８】
さらに、上記解析の結果、抽出された準平行部分に基づいて、制御部２２ａは、各サプライヤ４０の推定原価ラインを求め、その画像データを購入者装置３２へ送信する。この画像データに基づき、購入者装置３２の表示手段が表示する画像の一例が、図１２の右下に示されている。
【０１３９】
図１３には、上記ビット履歴の傾きの算出方法の概要が示されている。本実施の形態では、現在の時刻が刻み時刻ｔｎとなった時、刻み時刻ｔｎ〜ｔｎ−１におけるビット履歴について解析を行う。具体的には、刻み時刻ｔｎ〜ｔｎ−１に対応する刻み時刻指数Ｔｎ〜Ｔｎ−１の間における疑似正規化履歴について、その傾き（図１３においては、「ａ」で表されている）を算出する。このビット履歴の傾きは、下記の（式１）を用いて算出される。
【０１４０】
ビット履歴の傾き＝ビット履歴幅（Ｐｎ−Ｐｎ−１）÷単位時間指数（Ｔｎ−Ｔｎ−１）・・・（式１）
ここで、Ｐｎは、刻み時刻指数Ｔｎに対応する価格指数を表す。制御部２２ａは、算出したビット履歴の傾きの値が、０．００≦（ビット履歴の傾き）≦０．０５である場合には、そのビット履歴は準平行部分の候補であると判断する。
【０１４１】
図１４には、ビット粗密度の算出方法の概要の説明図が示されている。制御部２２ａは、上記ビット履歴の傾きを算出する際に用いたビットについて、さらにビット粗密度を求める。具体的には、刻み時刻指数Ｔｎ〜Ｔｎ−１（以下、単位時間指数Ｔｎ〜Ｔｎ−１と記載することもある）の間における疑似正規化履歴について、ビット粗密度を算出する。このビット粗密度は、下記の式（２）を用いて算出される。
【０１４２】
ビット粗密度＝自社ビット履歴数（Ｒｎ）÷単位時間指数（Ｔｎ−Ｔｎ−１）・・・（式２）
ここで、Ｒｎは、刻み時刻指数Ｔｎ〜Ｔｎ−１におけるサプライヤ４０毎のビットの数である。制御部２２ａは、算出したビット粗密度の値が０．３以上である場合には、そのビット粗密度は高いと判断し、ビット粗密度の値が０．３未満である場合には、そのビット粗密度は低いと判断する。
【０１４３】
図１５には、準平行部分の判断方法の説明図が示されている。制御部２２ａは、式（１）を用いて算出したビット履歴の傾きと、式（２）を用いて算出したビット粗密度と、に基づいて、最終的にその対象となった解析間隔区間ｔｎ〜ｔｎ−１におけるビット履歴が準平行部分であるか否かを判断する。すなわち、制御部２２ａは、ビット履歴の傾きに基づき、そのビット履歴が準平行部分の候補であると判断し、かつそのビット粗密度が高い場合に、ビット履歴が準平行部分であると判断するのである。
【０１４４】
解析結果に基づく推定方法
上記の通り、制御部２２ａが、所定の解析間隔区間におけるビット履歴が準平行部分であると判断した場合には、制御部２２ａは、先の出願と同様に、この準平行部分に基づき、サプライヤ４０の原価ラインを推定する。また、準平行部分が複数個抽出された場合には、制御部２２ａは、上述したように、予め設定したサプライヤ４０が有する推定原価構成に基づいて、各原価ラインが、いずれの原価（例えば、図４の右下に示す「直接原価」、「卸売り仕入れ原価」、又は「小売り仕入れ原価」）に対応するか推定することが可能である。なお、各原価ラインがいずれの原価に対応するか推定することは、各コストベンチマーキングと呼ばれる作業に他ならない。また、各原価ラインはコストベンチマークである。
【０１４５】
ステップＳ１１−３において、制御部２２ａは、上記途中解析Ａの結果、得られた解析・推定済逆オークション情報を解析・推定済情報ＤＢ２２ｄへ送信する。送信された解析・推定済逆オークション情報は、解析・推定済情報ＤＢ２２ｄに記録される。
【０１４６】
ステップＳ１１−４において、制御部２２ａは、解析・推定済逆オークション情報を画像データへ変換し、この画像データを通信部２２ｅからネットワーク１０を介して、購入者装置３２へ送信する。
【０１４７】
ステップＳ１１−５において、制御部２２ａは、現在の時刻が、刻み時刻ｔｎであるか否かを判断する。制御部２２ａは、現在の時刻が、刻み時刻ｔｎであると判断した場合には、ステップＳ１１−１へ移行し、解析・推定済逆オークション情報を更新する。一方、制御部２２ａは、現在の時刻が、刻み時刻ｔｎでないと判断した場合には、ステップＳ１１−６へ移行する。
【０１４８】
ステップＳ１１−６において、制御部２２ａは、バイヤー３０から途中解析Ａの請求があるか否かを判断する。制御部２２ａは、バイヤー３０からの請求があると判断した場合には、ステップＳ１１−１へ移行し、解析・推定済逆オークション情報を更新する。一方、制御部２２ａは、バイヤー３０からの請求がないと判断した場合には、ステップＳ１１−７へ移行する。
【０１４９】
ステップＳ１１−７において、制御部２２ａは、現在の時刻が、逆オークションの設定入札期間を満了したか否かを判断する。制御部２２ａが、逆オークションの設定入札期間を満了したと判断した場合には、この図９に示すフローチャートを終了し、引き続き、図１６に示すフローチャートへ移行する。制御部２２ａが、設定入札期間を満了していないと判断した場合には、ステップＳ１１−５に移行する。
【０１５０】
このように、本実施の形態では、Ｒ／Ａｕ仲介ベンダー２０及びバイヤー３０は、逆オークションの設定入札期間における各サプライヤ４０の推定原価ラインを、逆オークション終了前に知ることができる。
【０１５１】
２−２．延長入札期間における制御部の動作
以下、設定入札期間に引き続き設定された延長入札期間における制御部２２ａの動作について説明する。
【０１５２】
ビット履歴カーブの作成
制御部２２ａは、上記設定入札期間の場合と同様に、延長入札期間におけるビット履歴についても、ビット履歴カーブを作成し、作成したビット履歴カーブをバイヤー３０へ提供する。この際、制御部２２ａが行う動作は、図７のフローチャートで表す動作とほぼ同様である。ただし、延長入札期間の場合には、図７のステップＳ９−７における「設定入札期間」は、「延長入札期間」と読替え、制御部２２ａは、この「延長入札期間」後に、再び「延長入札期間」が設定された場合には、ステップＳ９−１へ移行する。
【０１５３】
このように、延長入札期間においても、Ｒ／Ａｕ仲介ベンダー２０は、サプライヤ４０から新たな入札行為がある毎に、入札履歴カーブを作成し、バイヤー３０へ送信する。このため、バイヤー３０は、設定入札期間の場合と同様に、延長入札期間におけるサプライヤ４０の入札行為をリアルタイムに知ることができる。
【０１５４】
入札履歴の解析及び推定
上述したように、延長入札期間において、制御部２２ａは途中解析Ｂを行う。この途中解析Ｂでは、制御部２２ａは、直前の入札期間における正規化履歴について４５°ライン分析による解析及び推定を行った後、今回の延長入札期間における疑似正規化履歴について、準平行部分の抽出による解析及び推定を行う。この準平行部分の抽出による解析の方法は、上記途中解析Ａの場合と同様である。以下、延長入札期間における制御部２２ａの動作について、図１６のフローチャートを用いて説明する。なお、上記正規化履歴とは、正規化後のビット履歴である。
【０１５５】
Ｓ１８−１において、制御部２２ａは、解析・推定済情報ＤＢ２２ｄから、解析・推定済逆オークション情報を抽出する。
【０１５６】
Ｓ１８−２において、制御部２２ａは、抽出した解析・推定済逆オークション情報の中から直前の入札期間における正規化履歴について、４５°ライン分析による解析及び推定を行う。以下、この４５°ライン分析による解析及び推定について詳細に説明する。
【０１５７】
４５°ライン分析による解析及び推定
図１７には、本実施の形態の逆オークションにおける途中解析Ｂの説明図が示されている。この図は、設定入札期間満了後に、延長入札期間が設定された際のビット履歴を示している。なお、この図においては、上記延長入札期間は２回設定されている。
【０１５８】
この図に示すように、４５°ライン分析による解析は、入札期間毎に行われる。すなわち、制御部２２ａは、現在の時刻が、設定入札期間を満了して１回目の延長入札期間となると、直前の入札期間である設定入札期間におけるビット履歴について４５°ライン分析による解析を行う。なお、現在の時刻が１回目の延長入札期間を満了し、２回目の延長入札期間となる場合にも、制御部２２ａは、直前の入札期間である１回目の延長入札期間におけるビット履歴について、４５°ライン分析による解析を行う。
【０１５９】
図１８には、本実施の形態における４５°ライン分析による解析の方法を表す明図が示されている。本発明者等は、先に、終了した逆オークションにおけるビット履歴について４５°ライン分析による解析を行い、得られた解析の結果からサプライヤ４０の受注意欲を推定する方法を独自に開発し、この方法を先の出願（段落１１３〜段落１２０等）に詳細に開示している。以下、上記４５°ライン分析による解析及び受注意欲の推定について説明する。
【０１６０】
図１８の右下には、４５°ライン分析による解析の方法を表す説明図が示されている。この図に示すように、４５°ライン分析による解析では、まず、直前の入札期間におけるビット履歴を正規化する。正規化後のグラフにおいて、開始設定時刻指数における開始設定価格指数における開始設定価格指数と、終了設定時刻指数における最終推定落札価格指数と、を結ぶことにより、４５°ラインを描く。このように作成された４５°ラインは、特許請求の範囲における開始設定時刻における開始設定価格と、終了設定時刻における最終推定落札価格と、を結んだ直線である４５度ラインに相当する。
【０１６１】
次に、正規化後のビット履歴に基づく近似曲線を上記グラフに描く。そして、４５°ライン及び近似曲線の関係から、”上に凸”の面積及び”下に凸”の面積を算出する。また、この”上に凸”の面積は、特許請求の範囲に記載の「上に凸」領域の面積に相当し、”下に凸”の面積は、特許請求の範囲に記載の「下に凸」領域の面積に相当する。
【０１６２】
本実施の形態においては、このように、ビット履歴について疑似正規化を行った後、４５°ライン分析による解析及び推定を行う例を示す。しかしながら、本発明は、これに限定されず、上記疑似正規化を行わずに、ビット履歴について４５°ライン分析による解析及び推定を行うことも好ましい。なお、いずれの方法によっても、同様の意欲指数が得られる。
【０１６３】
制御部２２ａは、算出された”上に凸”の面積及び”下に凸”の面積に基づき、サプライヤ４０の受注意欲の程度を推定する。具体的には、先の出願と同様に、下記（式３）を用いて算出する。
【０１６４】
意欲指数＝”下に凸”の面積比率×０．１・・・（式３）
ここで、”下に凸”の面積比率とは、算出した”上に凸”の面積と、”下に凸”の面積と、の合計に対する”下に凸”の面積の割合である。この受注意欲の程度は、０〜１０までの整数で表される受注意欲指数として算出される。例えば、サプライヤ４０の受注意欲が最も高い場合には１０となり、全く受注意欲がない場合には０となる。
【０１６５】
このように、得られた４５°ライン分析による解析の結果と、この解析の結果に基づく推定の結果と、は途中解析Ａにおいて得られた解析・推定済逆オークション情報に付加される。
【０１６６】
Ｓ１８−３において、制御部２２ａは、解析・推定済逆オークション情報における疑似正規化履歴について、準平行部分の抽出による解析及び推定を行う。この準平行部分の抽出による解析及び推定の方法は、図９におけるステップＳ１１−２と同様である。この準平行部分の抽出による解析及び推定の結果も、解析・推定済逆オークション情報に付加される。
【０１６７】
また、Ｓ１８−４〜Ｓ１８−８における制御部２２ａの動作は、図９のステップＳ１１−３〜ステップＳ１１−７における制御部２２ａの動作とほぼ同様である。ただし、図１６のＳ１８−８では、図９のステップＳ１１−７における「設定入札期間」が、「延長入札期間」となる点が異なる。
【０１６８】
Ｓ１８−９において、制御部２２ａは、新たな延長入札期間を設定するか否か判断する。制御部２２ａが、新たな延長入札期間を設定すると判断する場合には、Ｓ１８−１へ移行し、解析・推定済逆オークション情報を更新する。一方、制御部２２ａが、新たな延長入札期間を設定しないと判断する場合には、逆オークションは終了する。
【０１６９】
このように、本実施の形態では、逆オークションが設定入札期間を延長した場合に、Ｒ／Ａｕ仲介ベンダー２０及びバイヤー３０は、逆オークション実行中に、延長入札期間におけるサプライヤ４０の推定原価ラインをリアルタイムに知ることができる。また、Ｒ／Ａｕ仲介ベンダー２０及びバイヤー３０は、逆オークション実行中に、直前の入札期間におけるサプライヤ４０の受注意欲についても知ることができる。
【０１７０】
３．途中解析のメリット
上記の通り、本実施の形態において、Ｒ／Ａｕ仲介ベンダー２０及びバイヤー３０は、逆オークション終了前に、途中解析Ａ及び途中解析Ｂの結果を知ることができる。図１９は、途中解析Ａ及び途中解析Ｂの結果を知ることにより、バイヤー３０が得るメリットをまとめた図である。この図に示すように、バイヤー３０は、途中解析Ａの結果を参照することにより、設定入札期間における各サプライヤ４０の推定原価ラインを知ることができる。また、設定入札期間満了後、さらに逆オークションが延長した場合には、バイヤー３０は、途中解析Ｂの結果を参照することにより、延長入札期間におけるサプライヤ４０の推定原価ラインと、設定入札期間及び延長入札期間におけるサプライヤ４０の受注意欲と、を知ることができる。なお、この図の下段には、本発明とは直接関係ないが、参考のために、終了した逆オークションについて行われた最終結果解析の結果を参照することによるバイヤー３０のメリットが示されている。
【０１７１】
このようにバイヤー３０が、逆オークション実行中に、途中解析Ａ及び途中解析Ｂの結果を知ることにより、バイヤー３０は、購買戦略の立場から、特定のサプライヤ４０にプレッシャーを与えることが可能となる場合がある。
【０１７２】
図２０は、途中解析Ａ及び途中解析Ｂの結果を知ることにより、Ｒ／Ａｕ仲介ベンダー２０が得るメリットをまとめた図である。この図に示すように、Ｒ／Ａｕ仲介ベンダー２０は、途中解析Ａの結果を参照することにより、設定入札期間におけるサプライヤ４０の推定原価ラインを知ることができる。また、設定入札期間満了後、さらに逆オークションが延長した場合には、Ｒ／Ａｕ仲介ベンダー２０は、途中解析Ｂの結果を参照することにより、延長入札期間におけるサプライヤ４０の推定原価ラインと、設定入札期間及び延長入札期間におけるサプライヤ４０の受注意欲と、を知ることができる。なお、図１９と同様に、図２０の下段には、本発明とは直接関係ないが、参考のために、終了した逆オークションについて行われた最終結果解析の結果を参照することによるＲ／Ａｕ仲介ベンダー２０のメリットが示されている。
【０１７３】
このようにＲ／Ａｕ仲介ベンダー２０が、逆オークション実行中に、途中解析Ａ及び途中解析Ｂの結果を知ることにより、Ｒ／Ａｕ仲介ベンダー２０は、特定のサプライヤ４０間における談合を発見することが可能となる場合がある。この場合、Ｒ／Ａｕ仲介ベンダー２０は、談合を行っている疑いのあるサプライヤ４０に対し、逆オークションが終了する前に、所定の警告を行うことが可能となる場合も考えられる。
【図面の簡単な説明】
【０１７４】
【図１】本実施の形態の逆オークションシステムにおける基本オペレーションの説明図である。
【図２】本実施の形態における解析の内容をまとめた説明図である。
【図３】本実施の形態における逆オークションに関する情報の流れを表す説明図である。
【図４】図３の周辺動作を表す説明図である。
【図５】本実施の形態における逆オークションシステムを構成する装置の機能ブロック図である。
【図６】本実施の形態における購入者装置の表示手段が表す画像の一例の説明図である。
【図７】本実施の形態の設定入札期間において、ビット履歴カーブを作成する際の制御部の動作を中心としたフローチャート図である。
【図８】本実施の形態におけるビット履歴カーブの一例を表す説明図である
【図９】本実施の形態の設定入札期間において、途中解析Ａを行う際の制御部の動作を中心としたフローチャート図である。
【図１０】本実施の形態の逆オークション実行中のビット履歴、及びその疑似正規化履歴の一例を表すグラフである。
【図１１】図１０の部分拡大図である。
【図１２】本実施の形態の準平行部分を抽出する解析方法の説明図である。
【図１３】本実施の形態の準平行部分を抽出する解析方法において、ビット履歴の傾きを算出する方法の説明図である。
【図１４】本実施の形態の準平行部分を抽出する解析方法において、ビット粗密度を算出する方法の説明図である。
【図１５】本実施の形態の準平行部分を抽出する解析方法において、準平行部分の判断方法の説明図である。
【図１６】本実施の形態の延長入札期間において、途中解析Ｂを行う際の制御部の動作を中心としたフローチャート図である。
【図１７】本実施の形態の延長入札期間における途中解析Ｂの説明図である。
【図１８】本実施の形態の４５°ライン分析による解析の説明図である。
【図１９】本実施の形態におけるバイヤーのメリットをまとめた説明図である。
【図２０】本実施の形態におけるＲ／Ａｕ仲介ベンダーのメリットをまとめた説明図である。
【符号の説明】
【０１７５】
１０  ネットワーク
２０  Ｒ／Ａｕ仲介ベンダー
２２  センター装置
２２ａ  制御部
２２ｂ  入札履歴情報ＤＢ
２２ｃ  疑似正規化履歴情報ＤＢ
２２ｄ  解析・推定済情報ＤＢ
２２ｅ  通信部
３０  バイヤー
３２  購入者装置
３４  マーキング
３６  警告ライン
４０  サプライヤ
４２  入札者装置
３００  表示手段
３１０  入力手段
【図７】
2005190322.tif 000003
【図８】
2005190322.tif 000004
【図９】
2005190322.tif 000005
【図１０】
2005190322.tif 000006
【図１１】
2005190322.tif 000007
【図１６】
2005190322.tif 000008
【図１】
2005190322.tif 000009
【図２】
2005190322.tif 000010
【図３】
2005190322.tif 000011
【図４】
2005190322.tif 000012
【図５】
2005190322.tif 000013
【図６】
2005190322.tif 000014
【図１２】
2005190322.tif 000015
【図１３】
2005190322.tif 000016
【図１４】
2005190322.tif 000017
【図１５】
2005190322.tif 000018
【図１７】
2005190322.tif 000019
【図１８】
2005190322.tif 000020
【図１９】
2005190322.tif 000021
【図２０】
2005190322.tif 000022